(57)【要約】【課題】天井梁から容易に取り外すことのできる照明器具の取付構造を提供すること。【解決手段】照明器具１と、照明器具１の端部３に取り付けられるとともに天井梁４の頭部５に載置される取付金具２であって、天井梁４の頭部５に位置する載置部９の中程に切り欠部分７を備える取付金具２と、断面略コの字状で、取付金具２の切り欠部分７に天井梁４の側面８を挟み込んで取り付けられることにより取付金具２の天井梁４上での位置ずれを抑制する固定具１１と、を備える照明器具の取付構造において、天井梁４上の固定具１１の内表面１６の高さを天井梁４上に位置する取付金具２の載置部９の外表面１６の高さよりも高く保持した。【選択図】        図１
2004303635.tif 000002
【特許請求の範囲】
【請求項１】
照明器具と、照明器具の端部に取り付けられるとともに天井梁の頭部に載置される取付金具であって、天井梁の頭部に位置する載置部の中程に切り欠部分を備える取付金具と、断面略コの字状で、取付金具の切り欠部分に天井梁の側面を挟み込んで取り付けられることにより取付金具の天井梁上での位置ずれを抑制する固定具と、を備える照明器具の取付構造において、天井梁上の固定具の内表面の高さを天井梁上に位置する取付金具の載置部の外表面の高さよりも高く保持したことを特徴とする照明器具の取付構造。
【請求項２】
前記固定具は、天井梁上の内表面に凸部を備えることにより、天井梁上の固定具の内表面の高さを天井梁上に位置する取付金具の載置部の外表面の高さよりも高く保持したことを特徴とする請求項１記載の照明器具の取付構造。
【請求項３】
前記固定具と取付金具とをひも状部材で接続したことを特徴とする請求項１又は請求項２記載の照明器具の取付構造。
【発明の詳細な説明】
【０００１】
【発明の属する技術分野】
本発明は、照明器具の取付構造に関するものである。
【０００２】
【従来の技術】
従来、照明器具の取付構造として図６〜図１０に示すものが知られている。このものは、図６及び図７に示すように、天井から一対の天井梁４を吊り下げ、一対の天井梁４間に天井用の照明器具１を掛け渡して設置するもので、照明器具１の端部３には、照明器具１を天井梁４に取り付ける取付金具２が接続されている。そして、図１０に示すように、取付金具２の先には、幅Ｘの切り欠き部７が設けられており、この切り欠き部７には、取付金具２が天井梁４上で、位置ずれを起こさないように、幅Ｙの固定具１１が取付られている。固定具１１は、断面略コの字状であって、その側壁部１２には、天井梁４上での位置ずれを防止するため、固定具１１と天井梁４との間に摩擦力を発生させる突出部１４が設けられている。この突出部１４により、取付金具２は天井梁４上で固定される。
【０００３】
また、天井梁を用いた照明器具として、本出願人は、特開平１０−１０６３３６号公報に示すものを提案している。このものは、取付具の一端を器具本体の幅方向の中心側に後退して、器具本体を天井梁の間に床側から挿入して取付具の他端を天井梁の上端部に係止し、後退させた取付具の一端を器具本体の外方に再度進出して天井梁の上端部に係止することにより、取付具が天井梁の邪魔にならずに、照明器具を一対の天井梁間に取付けることができるというものである。
【０００４】
【特許文献１】
特開平１０−１０６３３６号公報
【０００５】
【発明が解決しようとする課題】
しかしながら、上記従来例の前者においては、取付金具２の切り欠部分７の幅Ｘと固定具１１の幅Ｙがほぼ等しく、さらに、固定具１１の側壁部１２には固定具１１が容易に位置ずれを起こさないように突出部１４を設けているため、固定具１１を天井梁４からの取り外す作業が容易ではなかった。また、上記従来例の後者は、天井梁を用いた照明器具ではあるが、その内容は、照明器具の取り付けに関するものであり、固定具の取り外しに関するものではない。
【０００６】
本発明は、かかる事由に鑑みてなしたものであり、その目的とするところは、天井梁から容易に取り外すことのできる照明器具の取付構造を提供することである。
【０００７】
【課題を解決するための手段】
請求項１に係る発明は、照明器具と、照明器具の端部に取り付けられるとともに天井梁の頭部に載置される取付金具であって、天井梁の頭部に位置する載置部の中程に切り欠部分を備える取付金具と、断面略コの字状で、取付金具の切り欠部分に天井梁の側面を挟み込んで取り付けられることにより取付金具の天井梁上での位置ずれを抑制する固定具と、を備える照明器具の取付構造において、天井梁上の固定具の内表面の高さを天井梁上に位置する取付金具の載置部の外表面の高さよりも高く保持したことを特徴とする。
【０００８】
請求項２に係る発明は、請求項１記載の発明において、前記固定具は、天井梁上の内表面に凸部を備えることにより、天井梁上の固定具の内表面の高さを天井梁上に位置する取付金具の載置部の外表面の高さよりも高く保持したことを特徴とする。
【０００９】
請求項３に係る発明は、請求項１又は請求項２記載の発明において、前記固定具と取付金具とをひも状部材で接続したことを特徴とする。
【００１０】
【発明の実施の形態】
（第１の実施形態）
第１の実施形態を図１〜図３に基づいて説明する。図１は、本実施形態の要部の斜視図である。図２（ａ）は、固定具の斜視図、（ｂ）は、固定具の側面図である。図３は、要部の正面図である。
【００１１】
本実施形態は、図１に示すように、照明器具１と、照明器具１の端部３に取り付けられるとともに天井梁４の頭部５に載置される取付金具２であって、天井梁４の頭部５に位置する載置部９の中程に切り欠部分７を備える取付金具２と、断面略コの字状で、取付金具２の切り欠部分７に天井梁４の側面８を挟み込んで取り付けられることにより取付金具２の天井梁４上での位置ずれを抑制する固定具１１と、を備える照明器具の取付構造において、天井梁４上の固定具１１の内表面１７の高さを天井梁４上に位置する取付金具２の載置部９の外表面１６の高さよりも高く保持したものである。
【００１２】
照明器具１は、例えば鉄板等の材料を、下面が開放した断面略碗形状に加工したもので、その内部には、直管タイプの蛍光ランプ及び蛍光ランプを点灯する点灯回路（いずれも図示はしない）を収納している。
【００１３】
取付金具２は、照明器具１の端部３に取り付けられるとともに天井梁４の頭部５に載置されるもので、天井梁４の頭部５に位置する載置部９の中程に切り欠部分７を備えるものである。具体的には、厚み１ｍｍの鉄板等の材料を曲げ加工及び打ち抜き加工をすることにより、照明器具１の端部３に沿った平面状で、取付金具２をネジ止めにより固定するための貫通孔（図示はしない）を有する取付部６と、取付部６の下端から照明器具１の端部３に対して直交する方向に伸び、その先端が天井梁４の頭部５に沿うよう垂下し、その中程に切り欠き部７を有する載置部９とを形成したものである。
【００１４】
ここで、天井梁４は、天井に所定の間隔を有して、複数本並行に備えられるものであって、図２（ｂ）に示すように、断面視において略逆Ｔ字形状の胴体部１０と、胴体部１０の先端に取付られる四辺形の頭部５とからなるものである。そして、照明器具１は、一対の天井梁４間に掛けわたって設置される。
【００１５】
固定具１１は、断面略コの字状で、取付金具２の切り欠部分７に天井梁４をまたいで天井梁４の側面８を挟み込んで取り付けられることにより取付金具２の天井梁４上での位置ずれを抑制するものである。具体的には、図２（ａ）、（ｂ）に示すように、厚み１ｍｍの鋼板等の材料を、曲げ加工により、天井梁４の側面８に対応する高さ約１６ｍｍの側壁部１２と、幅約９ｍｍの上端部１３からなる断面略コの字状に形成されている。ここで、側壁部１２には、天井梁４の側面８を挟み込むため、内方に突出した高さ約１ｍｍの突出部１４が、対向して計４つ設けられている。そして、重要なことは、天井梁４上の固定具１１の内表面１７の高さを天井梁４上に位置する取付金具２の載置部９の外表面１６の高さよりも高く保持するため、固定具１１の上端部１３に、内方に突出する凸部１５を設けたことである。凸部１５は、上端部１３の外面からプレス加工により直径約４ｍｍ、高さ１．３ｍｍの半球状に形成されるものである。そして、上端部１３には約１０ｍｍの間隔を開けて、凸部１５が２つ設けられている。
【００１６】
次に、以上の構成における、照明器具１の施工について説明する。照明器具１の両方の端部３に設けたネジ孔（図示はしない）に取付金具２の貫通孔（図示はしない）を合わせてネジ留めすることにより、取付金具６を照明器具１の両方の端部３に取り付ける。そして、  照明器具１が一対の天井梁４間に掛け渡るようにして、天井梁４の頭部５に取付金具２を載置し、切り欠き部７に固定具１１を天井梁４の側面８を挟み込む状態で取り付ける。ここで、側壁部１２に設けた突出部１４間の距離は、天井梁４の頭部５の幅よりも、若干狭くなるように形成しているため、固定具１１を天井梁４の頭部５に挟み込んだ状態では、頭部５と突出部１４間に摩擦力が発生し、固定具１１は、天井梁４の頭部５に固定される。一方、照明器具１に取付られている取付金具２は、天井梁４の頭部５に載置された状態であるので取付金具２のみでは、天井梁４上で位置ずれを起こしやすい状態となるが、固定具１１が、取付金具２の切り欠き部７に取付けられているので、取付金具２に天井梁４上で位置ずれを起こす力が発生しても、固定具１１が取付金具２の切り欠き部分７の縁に突き当たることによりその動きが規制されるため、取付金具２は、天井梁４上でその位置が固定された状態となる。
【００１７】
次に照明器具１の取り外しについて説明する。前述のように固定具１１に、内方に突出する凸部１５を設けたことにより、天井梁４上の固定具１１の内表面１７の高さは、天井梁４上に位置する取付金具２の載置部９の外表面１６の高さよりも高く保持されている。
これにより、例えば図３に示すように、取付部６の外表面１６と固定具１１の内表面１７の間に、ドライバー等の棒状部材１８を差し込んで、載置部９の端を支点として、棒状部材１８が天井梁４方向に対して平行になるように、押し下げる（図３の矢印）と、固定具１１の上端部１３には、天井梁４の上方向に力が働き、この力が頭部５と突出部１４間に発生している摩擦力よりも大きくなった場合に、固定具１１は、天井梁４から外れる。
【００１８】
以上のように、天井梁４の上端に位置する取付部６の外表面１６の高さを、天井梁４の上端に位置する固定具１１の内表面１７の高さよりも高くなるようにしたので、容易にドライバー等の棒状部材１８を差し込んで、固定具１１を天井梁４から取り外すことが可能になるのである。
（第２の実施形態）
第２の実施形態を図４、図５及び第１の実施形態で用いた図３に基づいて説明する。図４は、本実施形態の要部の斜視図である。図５（ａ）は、固定具の斜視図、（ｂ）は、固定具の側面図である。なお、第１の実施形態と同一部分は、同一符号を付して説明を省略する。
【００１９】
本実施形態は、図４に示すように、固定具１１と取付金具２とをひも状部材３０で接続したものである。具体的には、固定具１１の上端部１３に、ひも状部材３０を取り付ける取付孔３１を有する凸片３２を設け、照明器具１の端部３と凸片３２の取付孔３１をひも状部材３０で接続している。
【００２０】
以上の構成において、図３で説明したように、取付部６の外表面１６と固定具１１の内表面１７の間に、ドライバー等の棒状部材１８を差し込んで、載置部９の端を支点として、棒状部材１８を天井梁４方向に対して平行になるように、押し下げる（図３の矢印）と、固定具１１の上端部１３には、天井梁４の上方向に力が働き、この力が頭部５と側壁部１２間に発生している摩擦力よりも大きくなった場合に、固定具１１は、天井梁４から外れる。ここで、棒状部材１８による天井梁４の上方向の力が大きい場合には、天井梁４から勢い良く外れることになるが、固定具１１と取付金具２とをひも状部材３０で接続しているため、固定具１１は、ひも状部材３０を介して照明器具１の端部３に吊り下げられる状態になる。これにより、固定具１１が床面に落下することを防止することができるのである。
【００２１】
【発明の効果】
請求項１に係る発明は、照明器具と、照明器具の端部に取り付けられるとともに天井梁の頭部に載置される取付金具であって、天井梁の頭部に位置する載置部の中程に切り欠部分を備える取付金具と、断面略コの字状で、取付金具の切り欠部分に天井梁の側面８を挟み込んで取り付けられることにより取付金具の天井梁上での位置ずれを抑制する固定具と、を備える照明器具の取付構造において、天井梁上の固定具の内表面の高さを天井梁上に位置する取付金具の載置部の外表面の高さよりも高く保持したので、取付部の外表面と固定具の内表面の間に、ドライバー等の棒状部材を差し込むことができ、固定具を、天井梁から容易に取り外すことができる。
【００２２】
請求項２に係る発明は、請求項１記載の発明において、前記固定具は、天井梁上の内表面に凸部を備えることにより、天井梁上の固定具の内表面の高さを天井梁上に位置する取付金具の載置部の外表面の高さよりも高く保持した。この凸部は、プレス加工により容易に作ることができるので、新たな部材を用いることなく、井梁上の固定具の内表面の高さを天井梁上に位置する取付金具の載置部の外表面の高さよりも高く保持することができる。
【００２３】
請求項３に係る発明は、請求項１又は請求項２記載の発明において、前記固定具と取付金具とをひも状部材で接続したので、固定具を天井梁から取り外した際に、固定具が床面に落下することを防止することができる。
【図面の簡単な説明】
【図１】第１の実施形態の要部の斜視図である。
【図２】（ａ）は、同実施形態の固定具の斜視図、（ｂ）は、同実施形態の固定具の側面図である。
【図３】同実施形態の要部の正面図である。
【図４】第２の実施形態の要部の斜視図である。
【図５】（ａ）は、同実施形態の固定具の斜視図、（ｂ）は、同実施形態の固定具の側面図である。
【図６】従来例において照明器具を天井梁から取り外した状態を示す斜視図である。
【図７】同照明器具を天井梁に取付けた状態を示す斜視図である。
【図８】同固定具を天井梁から取り外した状態での要部の斜視図である。
【図９】同固定具を天井梁に取付けた状態での要部の斜視図である。
【図１０】（ａ）は、同固定具を天井梁に取付けた状態での要部の正面図、（ｂ）は、要部の側面図である。
【符号の説明】
１    照明器具
２    取付金具
３    端部
４    天井梁
５    頭部
６    取付部
７    切り欠部分
９    載置部
１０  胴体部
１１  固定具
１２  側壁部
１３  上端部
１４  突出部
１５  凸部
１６  外表面
１７  内表面
１８  棒状部材
【図１】
2004303635.tif 000003
【図２】
2004303635.tif 000004
【図３】
2004303635.tif 000005
【図４】
2004303635.tif 000006
【図５】
2004303635.tif 000007
【図６】
2004303635.tif 000008
【図７】
2004303635.tif 000009
【図８】
2004303635.tif 000010
【図９】
2004303635.tif 000011
【図１０】
2004303635.tif 000012